(57)【要約】      （修正有）【課題】高いコモンモード作動電圧および許容範囲を達成するために絶縁型シグナリング及び隠し絶縁型電力を利用するトランシーバを提供する。【解決手段】絶縁境界によって設定されたコモンモード作動範囲および出力電圧の許容差を可能とし、回路で使用されるデバイスの種類によって制限されない電力源付絶縁型トランシーバアーキテクチャ３００は、絶縁障壁３０８によって絶縁されて、生成された電源ノード及びグランドノードが隠されているため、静電気放電／過電流ストレスまたは電圧許容差を重視する試験には関与しない。【効果】本主題の技術のアーキテクチャは、極めて高いコモンモード性能並びに低電圧デバイスおよび単純化されたアーキテクチャを使用した堅牢な性能という利点を有し、その結果、容量性負荷が少なくなり、動作が速くなり、ダイ開発がより安価になり、電磁干渉への利点があり、単純なアクティブ終端が可能になる。【選択図】図３
2019135830.tif 000002
【特許請求の範囲】
【請求項１】
トランシーバシステムであって、
トランシーバ回路と、
前記トランシーバ回路に連結され、前記トランシーバシステムのトランシーバインターフェースと論理インターフェースとの間に絶縁を提供するように構成された絶縁インターフェース回路と、
隠し絶縁型電源電圧ノードおよび隠し絶縁型グランドノードを使用して、前記絶縁インターフェース回路のトランシーバインターフェース側に電力を供給するように構成された絶縁型電源回路と、を備える、トランシーバシステム。
【請求項２】
前記トランシーバインターフェースと前記論理インターフェースとの間に絶縁障壁を含み、前記トランシーバシステムの任意の露出したグランドノードに対する前記トランシーバインターフェースにおけるコモンモード電圧が前記絶縁障壁を越えて取り込まれる、請求項１に記載のトランシーバシステム。
【請求項３】
前記トランシーバシステムの任意の露出した電源電圧ノードに対する前記トランシーバインターフェースにおけるコモンモード電圧が、前記絶縁障壁を越えて取り込まれる、請求項２に記載のトランシーバシステム。
【請求項４】
前記絶縁型電源電圧ノードおよびグランドノードが、前記トランシーバインターフェースから隠されている、請求項１に記載のトランシーバシステム。
【請求項５】
前記トランシーバ回路が、前記絶縁型電源の隠し絶縁型グランドによって回路グランドに接続されている、請求項１に記載のトランシーバシステム。
【請求項６】
前記トランシーバシステムが、集積回路に含まれ、前記絶縁インターフェース回路の前記トランシーバ側の前記絶縁型電源電圧ノードおよびグランドノードが、集積回路入出力（Ｉ／Ｏ）コンタクトパッドへの電気的接続を除外する、請求項１に記載のトランシーバシステム。
【請求項７】
前記トランシーバシステムが、電子パッケージに含まれ、前記絶縁インターフェース回路の前記トランシーバ側の前記絶縁型電源電圧ノードおよびグランドノードは前記電子パッケージの外部接点への電気的接続を除外する、請求項１に記載のトランシーバシステム。
【請求項８】
前記トランシーバインターフェースに連結され、前記論理インターフェースを介して受信された制御信号を使用して前記トランシーバインターフェースの２つの端子間の終端インピーダンスを調整するように構成された選択可能な終端回路をさらに備える、請求項１に記載のトランシーバシステム。
【請求項９】
前記選択可能な終端回路が、前記絶縁型電源電圧ノードおよびグランドノードのうちの一方に対する信号電圧に基づいて前記終端インピーダンスを調整する、請求項８に記載のトランシーバシステム。
【請求項１０】
前記トランシーバインターフェースが、バスインターフェースであり、前記トランシーバ回路が、一定方向のシグナリングを用いて前記バスへの受信機または送信機インターフェースとして動作可能である、請求項１に記載のトランシーバシステム。
【請求項１１】
前記絶縁障壁が、ガルバニック絶縁障壁を含む、請求項２に記載のトランシーバシステム。
【請求項１２】
前記絶縁障壁が、非ガルバニック絶縁障壁を含む、請求項２に記載のトランシーバシステム。
【請求項１３】
前記絶縁障壁が、容量性絶縁障壁を含む、請求項２に記載のトランシーバシステム。
【請求項１４】
前記絶縁型電源に関連づけられた絶縁型グランドノードが、前記論理インターフェースに関連づけられたグランドノードから絶縁されている、請求項１に記載のトランシーバシステム。
【請求項１５】
前記トランシーバインターフェースの外部接続が、前記論理インターフェースに対する５００ボルト以上の電圧差に対して定格が定められている、請求項１に記載のトランシーバシステム。
【請求項１６】
差動バスインターフェースであって、
第１のバスラインおよび第２のバスラインと、
前記第１および第２のバスラインのそれぞれの第１の端部に動作可能に連結された第１のトランシーバシステム、ならびに前記第１および第２のバスラインの第２の端部に動作可能に連結された第２のトランシーバシステムと、を備え、前記第１および第２のトランシーバシステムはそれぞれ、
トランシーバ回路と、
前記トランシーバ回路に連結され、各トランシーバシステムのトランシーバインターフェースと論理インターフェースとの間に絶縁を提供するように構成された絶縁インターフェース回路と、
隠し絶縁型電源電圧ノードおよび隠し絶縁型グランドノードを使用して、前記絶縁インターフェース回路のトランシーバインターフェース側に電力を供給するように構成された絶縁型電源回路とを、含む、差動バスインターフェース。
【請求項１７】
前記トランシーバインターフェースと前記論理インターフェースとの間に絶縁障壁を含み、前記トランシーバシステムの任意の露出したグランドノードに対する前記トランシーバインターフェースにおけるコモンモード電圧が前記絶縁障壁を越えて取り込まれる、請求項１６に記載の差動バスインターフェース。
【請求項１８】
前記トランシーバシステムの任意の露出した電源電圧ノードに対する前記トランシーバインターフェースにおけるコモンモード電圧が、前記絶縁障壁を越えて取り込まれる、請求項１７に記載の差動バスインターフェース。
【請求項１９】
前記第１のバスラインおよび前記第２のバスラインが差動バスライン対であり、前記絶縁型電源電圧ノードおよびグランドノードが、前記トランシーバインターフェースから前記差動バスライン対へと隠されている、請求項１７に記載の差動バスインターフェース。
【請求項２０】
各トランシーバシステムが、集積回路に含まれ、前記絶縁インターフェース回路の前記トランシーバ側の前記絶縁型電源電圧ノードおよびグランドノードが、集積回路入出力（Ｉ／Ｏ）コンタクトパッドへの電気的接続を排除する、請求項１７に記載の差動バスインターフェース。
【発明の詳細な説明】
【技術分野】
【０００１】
本明細書は、一般に電気回路に関し、より詳細には、高いコモンモード作動電圧および許容範囲を達成するために絶縁型シグナリングおよび隠し絶縁型電力を利用するトランシーバに関する。
【背景技術】
【０００２】
ライントランシーバは、多地点バス伝送ライン高速データ通信のために動作可能である。ＲＳ４８５タイプのインターフェースを含むトランシーバなどの従来のライントランシーバは、指定された入力信号範囲を処理するように設計されているが、電源およびグランド接続に対するバスライン上の電圧を有効にして許容する能力は限られている。例えば、グランド電位はノードごとに大きく異なり、多くの場合、指定された入力信号範囲を超える。その結果、通信が中断されたり、グランドループを流れる大電流が流れ、またはより悪いことに、トランシーバが破壊されたりする可能性がある。
【発明の概要】
【課題を解決するための手段】
【０００３】
絶縁境界によって設定されたコモンモード作動範囲および出力電圧の許容差を可能とし、回路で使用されるデバイスの種類によって制限されないトランシーバ。本主題の技術は、絶縁されて生成された電源ノードおよびグランドノードが隠されているため、ＥＳＤ／過電流ストレス（ＥＯＳ）や電圧許容差を重視する試験には関与しない、電力源付き絶縁型トランシーバである。本主題の技術のアーキテクチャは、極めて高いコモンモード性能、ならびに低電圧デバイスおよび単純化されたアーキテクチャを使用した堅牢な性能という利点を有し、その結果、容量性負荷が少なくなり、動作が速くなり、ダイ開発がより安価になり、電磁干渉（ＥＭＪ）への利点があり、単純なアクティブ終端が可能になる。本主題の技術は、絶縁が使用される環境で使用できる絶縁アーキテクチャを含むが、絶縁を必要としないシステムでも有利である。
【０００４】
本開示の実施形態によれば、トランシーバシステムは、トランシーバ回路と、トランシーバ回路に連結され、トランシーバインターフェースと論理インターフェースとの間に絶縁を提供するように構成された絶縁インターフェース回路とを含む。トランシーバシステムはまた、隠し絶縁型電源電圧ノードおよびグランドノードを用いて絶縁インターフェース回路のトランシーバ側に電力を供給するように構成された絶縁型電源を含む。いくつかの態様では、トランシーバインターフェースは、論理インターフェースにおける電圧に対する、絶縁型電源電圧ノードおよびグランドノードのうちの一方に対するコモンモード電圧を有する。
例えば、本発明は、以下の項目を提供する。
（項目１）
トランシーバシステムであって、
トランシーバ回路と、
前記トランシーバ回路に連結され、前記トランシーバシステムのトランシーバインターフェースと論理インターフェースとの間に絶縁を提供するように構成された絶縁インターフェース回路と、
隠し絶縁型電源電圧ノードおよび隠し絶縁型グランドノードを使用して、前記絶縁インターフェース回路のトランシーバインターフェース側に電力を供給するように構成された絶縁型電源回路と、を備える、トランシーバシステム。
（項目２）
前記トランシーバインターフェースと前記論理インターフェースとの間に絶縁障壁を含み、前記トランシーバシステムの任意の露出したグランドノードに対する前記トランシーバインターフェースにおけるコモンモード電圧が前記絶縁障壁を越えて取り込まれる、上記項目に記載のトランシーバシステム。
（項目３）
前記トランシーバシステムの任意の露出した電源電圧ノードに対する前記トランシーバインターフェースにおけるコモンモード電圧が、前記絶縁障壁を越えて取り込まれる、上記項目のいずれか一項に記載のトランシーバシステム。
（項目４）
前記絶縁型電源電圧ノードおよびグランドノードが、前記トランシーバインターフェースから隠されている、上記項目のいずれか一項に記載のトランシーバシステム。
（項目５）
前記トランシーバ回路が、前記絶縁型電源の隠し絶縁型グランドによって回路グランドに接続されている、上記項目のいずれか一項に記載のトランシーバシステム。
（項目６）
前記トランシーバシステムが、集積回路に含まれ、前記絶縁インターフェース回路の前記トランシーバ側の前記絶縁型電源電圧ノードおよびグランドノードが、集積回路入出力（Ｉ／Ｏ）コンタクトパッドへの電気的接続を除外する、上記項目のいずれか一項に記載のトランシーバシステム。
（項目７）
前記トランシーバシステムが、電子パッケージに含まれ、前記絶縁インターフェース回路の前記トランシーバ側の前記絶縁型電源電圧ノードおよびグランドノードは前記電子パッケージの外部接点への電気的接続を除外する、上記項目のいずれか一項に記載のトランシーバシステム。
（項目８）
前記トランシーバインターフェースに連結され、前記論理インターフェースを介して受信された制御信号を使用して前記トランシーバインターフェースの２つの端子間の終端インピーダンスを調整するように構成された選択可能な終端回路をさらに備える、上記項目のいずれか一項に記載のトランシーバシステム。
（項目９）
前記選択可能な終端回路が、前記絶縁型電源電圧ノードおよびグランドノードのうちの一方に対する信号電圧に基づいて前記終端インピーダンスを調整する、上記項目のいずれか一項に記載のトランシーバシステム。
（項目１０）
前記トランシーバインターフェースが、バスインターフェースであり、前記トランシーバ回路が、一定方向のシグナリングを用いて前記バスへの受信機または送信機インターフェースとして動作可能である、上記項目のいずれか一項に記載のトランシーバシステム。
（項目１１）
前記絶縁障壁が、ガルバニック絶縁障壁を含む、上記項目のいずれか一項に記載のトランシーバシステム。
（項目１２）
前記絶縁障壁が、非ガルバニック絶縁障壁を含む、上記項目のいずれか一項に記載のトランシーバシステム。
（項目１３）
前記絶縁障壁が、容量性絶縁障壁を含む、上記項目のいずれか一項に記載のトランシーバシステム。
（項目１４）
前記絶縁型電源に関連づけられた絶縁型グランドノードが、前記論理インターフェースに関連づけられたグランドノードから絶縁されている、上記項目のいずれか一項に記載のトランシーバシステム。
（項目１５）
前記トランシーバインターフェースの外部接続が、前記論理インターフェースに対する５００ボルト以上の電圧差に対して定格が定められている、上記項目のいずれか一項に記載のトランシーバシステム。
（項目１６）
差動バスインターフェースであって、
第１のバスラインおよび第２のバスラインと、
前記第１および第２のバスラインのそれぞれの第１の端部に動作可能に連結された第１のトランシーバシステム、ならびに前記第１および第２のバスラインの第２の端部に動作可能に連結された第２のトランシーバシステムと、を備え、前記第１および第２のトランシーバシステムはそれぞれ、
トランシーバ回路と、
前記トランシーバ回路に連結され、各トランシーバシステムのトランシーバインターフェースと論理インターフェースとの間に絶縁を提供するように構成された絶縁インターフェース回路と、
隠し絶縁型電源電圧ノードおよび隠し絶縁型グランドノードを使用して、前記絶縁インターフェース回路のトランシーバインターフェース側に電力を供給するように構成された絶縁型電源回路とを、含む、差動バスインターフェース。
（項目１７）
前記トランシーバインターフェースと前記論理インターフェースとの間に絶縁障壁を含み、前記トランシーバシステムの任意の露出したグランドノードに対する前記トランシーバインターフェースにおけるコモンモード電圧が前記絶縁障壁を越えて取り込まれる、上記項目のいずれか一項に記載の差動バスインターフェース。
（項目１８）
前記トランシーバシステムの任意の露出した電源電圧ノードに対する前記トランシーバインターフェースにおけるコモンモード電圧が、前記絶縁障壁を越えて取り込まれる、上記項目のいずれか一項に記載の差動バスインターフェース。
（項目１９）
前記第１のバスラインおよび前記第２のバスラインが差動バスライン対であり、前記絶縁型電源電圧ノードおよびグランドノードが、前記トランシーバインターフェースから前記差動バスライン対へと隠されている、上記項目のいずれか一項に記載の差動バスインターフェース。
（項目２０）
各トランシーバシステムが、集積回路に含まれ、前記絶縁インターフェース回路の前記トランシーバ側の前記絶縁型電源電圧ノードおよびグランドノードが、集積回路入出力（Ｉ／Ｏ）コンタクトパッドへの電気的接続を排除する、上記項目のいずれか一項に記載の差動バスインターフェース。
（摘要）
絶縁境界によって設定されたコモンモード作動範囲および出力電圧の許容差を可能とし、回路で使用されるデバイスの種類によって制限されないトランシーバ。本主題の技術は、絶縁されて生成された電源ノードおよびグランドノードが隠されているため、静電気放電（ＥＳＤ）／過電流ストレス（ＥＯＳ）または電圧許容差を重視する試験には関与しない、電力源付き絶縁型トランシーバである。本主題の技術のアーキテクチャは、極めて高いコモンモード性能、ならびに低電圧デバイスおよび単純化されたアーキテクチャを使用した堅牢な性能という利点を有し、その結果、容量性負荷が少なくなり、動作が速くなり、ダイ開発がより安価になり、電磁干渉（ＥＭＩ）への利点があり、単純なアクティブ終端が可能になる。本主題の技術は、絶縁が使用される環境で使用できる絶縁アーキテクチャを含むが、絶縁を必要としないシステムでも有利である。
【図面の簡単な説明】
【０００５】
本主題の技術の特定の特徴は添付の特許請求の範囲に記載されている。しかしながら、説明の目的のために、本主題の技術のいくつかの実施形態を以下の図に記載する。
【０００６】
【図１】図１は、トランシーバのグランドノード間にコモンモード電圧が印加された状態で伝送ラインを介して互いに接続された非絶縁型トランシーバを有するネットワーク環境の概略図を図示する。
【０００７】
【図２Ａ】図２Ａは、電源電圧よりも大きくかつグランド電圧よりも小さい出力電圧を許容する従来の送信機出力アーキテクチャの一例の概略図を図示する。
【０００８】
【図２Ｂ】図２Ｂは、電源電圧よりも大きくかつグランド電圧よりも小さい入力電圧を許容する従来の送信機出力アーキテクチャの別の例の概略図を図示する。
【０００９】
【図２Ｃ】図２Ｃは、従来の受信機アーキテクチャの一例の概略図を図示する。
【００１０】
【図３】図３は、本主題の技術の１つ以上の実施形態による絶縁型トランシーバアーキテクチャの一例の概略図を図示する。
【００１１】
【図４】図４は、絶縁型トランシーバの一例の概略図を図示する。選択可能な終端回路を有するアーキテクチャは、本主題の技術の１つ以上の実施形態に従う。
【００１２】
【図５Ａ】図５Ａは、本主題の技術の１つ以上の実施形態による、絶縁型トランシーバアーキテクチャのための送信機アーキテクチャの一例の概略図を図示する。
【００１３】
【図５Ｂ】図５Ｂは、本主題の技術の１つ以上の実施形態による、絶縁型トランシーバアーキテクチャのための受信機アーキテクチャの一例の概略図を図示する。
【発明を実施するための形態】
【００１４】
以下に記載される詳細な説明は、本主題の技術の様々な構成の説明として意図されており、本主題の技術が実施され得る唯一の構成を表すことを意図されていない。添付の図面は本明細書に組み込まれ、詳細な説明の一部を構成する。詳細な説明は、本主題の技術の完全な理解を提供する目的のための特定の詳細を含む。しかしながら、本主題の技術は、本明細書に記載された特定の詳細に限定されず、そして１つ以上の実施形態を用いて実施され得る１つ以上の例では、本主題の技術の概念を曖昧にすることを回避するために、構造および構成要素がブロック図形式で示される。
【００１５】
本主題の開示は、バス上で信号を駆動および受信するために単純な低電圧デバイスを使用して、絶縁境界によって設定されたコモンモード作動範囲および出力電圧の許容差を可能とするトランシーバを提供する。本主題の開示は、絶縁されて生成された電源ノードおよびグランドノードが隠されており、したがってＥＳＤ／ＥＯＳまたは電圧許容差を重視する試験に関与していない、電力源付き絶縁型トランシーバに関する。
【００１６】
絶縁型トランシーバの様々なアーキテクチャは、絶縁型電源（例えば、ＶＣＣ）およびグランド（例えば、ＧＮＤ）ピンを有する。いくつかの手法では、絶縁側に電力を供給し、デカップリングコンデンサを含むために絶縁型電源ピンおよびグランドピンが必要とされる。他の手法では、デカップリングコンデンサを追加するために、絶縁型電源ピンおよびグランドピンが取り出される。さらに別の手法では、追加のデバイスに電力を供給するか、またはデカップリング容量を追加するために使用できるように絶縁型電源ピンを追加する。しかしながら、本主題の技術は、絶縁型電源およびグランドが隠されている、高い作動電圧を有する堅牢な絶縁型トランシーバを提供する。
【００１７】
本主題の開示は、低電圧デバイスの使用に伴う利点を提供する。例えば、ドライバ出力デバイスおよびＥＳＤセルは低電圧である。これにより、サイズが小さくなり、堅牢に設計することがはるかに容易になる。ドライバ出力デバイスは、容量が少なくても可能である。相補型金属酸化膜半導体（ＣＭＯＳ）を含む標準的なプロセスを使用することができる。本主題の開示は、追加の設計速度を提供することで利点を提供する。例えば、低電圧デバイスを使用し、抵抗分割器を使用しないと、高速動作が可能となる。８０Ｖの高電圧（ＨＹ）デバイスを使用して規格準拠のトランシーバ（例えば、１５０ＭｂｐｓのＲＳ４８５トランシーバ）を作ることは難しい場合があるが、これは本主題の技術を使用して達成することができる。本主題の開示は、単純化された設計と共に利点を提供する。例えば、ドライバは、ウェルスイッチングも、絶縁ダイオードも、抵抗分割器も必要としない。ドライバと受信機の両方がより速い性能を可能にし、受信機はより多くの信号対ノイズマージンを持っている本主題の開示はまた、サイズおよびコストの削減という利点をもたらす。例えば、本主題の技術は、サイズを縮小し、より安価な製造プロセスを可能にする低電圧（ＬＶ）デバイスを有する単純化されたアーキテクチャを提供する。デバイスが既に絶縁を使用している場合、本主題の技術のアーキテクチャは標準的な絶縁製品よりも安価になり得る。
【００１８】
本主題の開示はまた、電磁干渉保護に関する利点を提供する。例えば、ノード間にコモンモード差がある標準的なトランシーバ（例えばＲＳ４８５またはＣＡＮ）は、バスコモンモードがそれを駆動しているデバイス（送信機）によって制御されるという不利な点を有する。したがって、半二重通信では、方向が変わるたびにバス内でコモンモードが大きく変化し、それによって放射ＥＭＩが大きくなる可能性がある。バスのコモンモード電圧は、本主題のトランシーバの外部のバス上のインピーダンスによって決まるので、これは本主題の技術の場合には当てはまらない。ノード間のコモンモードの差は、伝送方向が変更されたときに伝送ケーブルに与えられるのではなく、絶縁障壁によって吸収される。伝送ケーブルのコモンモード電圧は大きく変動しないため、これによってＥＭＩ放射が最小限に抑えられる。
【００１９】
図１は、差動伝送ラインと共に接続された非絶縁型トランシーバ（例えば１０２、１０４）を有するネットワーク環境１００の概略図を図示する。トランシーバの２つのグランドノード間（例えば、１０６、１０８）に電圧ＶＣＭが印加され、ＡピンおよびＢピンにおける２つのトランシーバ（例えば、それぞれ１０２、１０４）の信号ライン間のコモンモード電圧シフトを表す。ＲＳ４８５トランシーバおよびコントロールエリアネットワーク（ＣＡＮ）トランシーバなどの、特殊な高耐圧トランシーバの中には、堅牢性の他の主張の中で、グランドに対するそれらのバスピン上の最大６０Ｖの電圧、および２５ｋＶを超える非常に高いＥＳＤレベルを許容できるものがある。いくつかの態様では、バスピンを介して互いに接続された複数のデバイスは、最大でいくつかのコモンモード電圧仕様のグランド電位差を許容するだけでなく、それで動作し得る。例えば、ＲＳ４８５タイプのトランシーバは通常、限られた量のコモンモード電圧でしか動作できない。ＲＳ４８５仕様（例えば、ＴＩＡ／ＥＪＡ−４８５−Ａ）によれば、このコモンモード電圧（ＶＣＭ）は、−７〜＋１２Ｖの範囲内にある。いくつかの堅牢なＨＹ耐性ＲＳ４８５タイプの設計では、この範囲は３５Ｖまで拡張できる。図３を参照して説明されるように、本主題の技術の絶縁はＶＣＭを数百または数千ボルトに押し上げることができる。
【００２０】
図２Ａ〜２Ｃは、通常ＲＳ４８５タイプまたはＣＡＮトランシーバに見られる、電源電圧およびグランド電圧を超えて広がる電圧範囲を処理するために通常使用される送信機および受信機アーキテクチャを描写している。図２Ａは、従来の送信機出力アーキテクチャ２００の一例の概略図を図示する。図２Ｂは、従来の送信機出力アーキテクチャ２１０の他の例の概略図を図示する。図２Ｃは、従来の受信機アーキテクチャ２２０の一例の概略図を図示する。
【００２１】
例えば、図２Ａおよび図２Ｂは、バス電圧がウェルをグランドまたは電源の下にまで広げることを可能にするために使用される２つの典型的な送信機出力アーキテクチャ（例えば２００、２１０）描写する。送信機デバイス（例えば、２００、２１０）は、バスの出力電圧許容差（例えば、６０Ｖ）に適合する高電圧（ＨＶ）動作が可能である。図２Ｃは、比較器（例えば２２６）に入る前にコモンモード電圧を分割するために大きな抵抗分割器（例えば２２２、２２４）を使用する典型的な受信機アーキテクチャ２２０を描写する。
【００２２】
実際には、これらのアーキテクチャ上の選択は、デバイスの電圧許容差を所与の技術における最高電圧のデバイスタイプ、例えば、約６０Ｖに制限する。この電圧が増加すると、デバイスのサイズが増加し、したがって性能が制限される。
【００２３】
図３は、本主題の技術の１つ以上の実施形態による絶縁型トランシーバアーキテクチャ３００の一例の概略図を図示する。しかしながら、示された構成要素のすべてが使用されるわけではなく、１つ以上の実施形態は図に描かれていない追加の構成要素を含んでもよい。本明細書に記載の特許請求の範囲の精神または範囲から逸脱することなく、構成要素の配置および種類を変更することができる。追加の構成要素、異なる構成要素、またはより少ない構成要素を提供することができる。
【００２４】
絶縁型トランシーバアーキテクチャ３００は、トランシーバインターフェース３０２上で信号を駆動し受信するように構成されたトランシーバ回路３０６を含む。絶縁型トランシーバアーキテクチャ３００は、トランシーバ回路３０６に連結され、トランシーバ回路３０６を論理インターフェース３０４から絶縁するように構成された絶縁インターフェース回路３１８も含む。絶縁インターフェース回路３１８は、絶縁障壁３０８によって提供される絶縁を含み、それは、トランシーバ回路３０６と論理インターフェース３０４との間の高い絶縁電圧差を可能にする。絶縁障壁３０８を横切る電圧差は、トランシーバシステムの露出したグランドノードに対するトランシーバインターフェースにおけるコモンモード電圧を実質的に含む。絶縁型グランドは、論理インターフェース３０４に関連づけられたグランドノード（例えば、３１４）とは異なり得る。絶縁インターフェース回路３０８は、いくつかの実施形態ではガルバニックであり得るか、または他の実施形態では非ガルバニックであり得る。
【００２５】
絶縁型トランシーバ３０６（例えば、ＲＳ４８５トランシーバ）は、絶縁側に絶縁型電力（例えば、３１０）を提供される。例えば、トランシーバ回路用の電力は、絶縁型電源回路３１６によって生成することができる。絶縁型電源回路の例としては、絶縁型電源チャージポンプや絶縁用のトランスを備えた電力コンバータがある。絶縁型電源ピン（例えば、３１０、３１２）は隠されている（例えば、トランシーバインターフェース３０２にピン配列されていない）。例えば、絶縁型電源電圧３１０および絶縁型グランド３１２は、トランシーバインターフェース３０２にピン配列されていない。これにより、（図１に示すように）非絶縁型トランシーバの標準ピン配列が得られる。したがって、トランシーバインターフェース３０２におけるコモンモード電圧は、論理インターフェース３０４上の露出したグランドピン３１４に対して定義される。このように、絶縁障壁３０８の高い絶縁電圧能力は、絶縁電圧定格に実質的に等しい高いコモンモード電圧を可能にする。トランシーバインターフェース３０２で使用されるデバイスは、標準の低電圧デバイスであり得る。なぜなら、ＥＳＤ、およびＡまたはＢから他のピンへの過電流ストレス（ＥＯＳ）は、トランシーバインターフェース３０２と絶縁型電源３０６または絶縁型グランド３１２接続との間に接続されたデバイスによってではなく、絶縁障壁３０８によって吸収されるからである。いくつかの態様では、絶縁障壁３０８は、とりわけ、容量絶縁、誘導絶縁、光絶縁を含む。
【００２６】
本主題の開示のアーキテクチャはまた、バス上の一定方向のシグナリングおよび複数のバスにも拡張可能である。例えば、絶縁型トランシーバ３０６は、トランシーバインターフェース３０２を介してバス上に一定方向のシグナリングを有する受信機または送信機として動作可能であり得る。電気的ファストトランジェント（ＥＦＴ）などのほとんどのＥＯＳ試験は信号として適用されるため、これまでに提示されたアーキテクチャは、図５Ａに示されるように低電圧ドライバアーキテクチャが使用される場合、差動トランシーバ内の１つのバスラインから別のバスラインへの大きな電圧を許容しない。しかしながら、高いライン間電圧許容差が採用されている場合は、絶縁型電源（例えば、３１０）およびグランド（例えば、３１２）が隠されている絶縁型アーキテクチャ（例えば、図３）と共に内部高電圧デバイスアーキテクチャ（図２Ａおよび図２Ｂにおけるような）を使用することができる。これは既存のトポロジーに比べて大きな利点を提供する。例えば、従来のＲＳ４８５タイプのトランシーバは、グランドに対するバスピン上の最大約±６０Ｖの電圧を許容することができる（例えば、１０６、１０８）。例えば、図３のトランシーバ（例えば、３００）は、非絶縁型トランシーバ（例えば、１０２）と同じピン配列を有することができ、それでもなお、トランシーバインターフェース３０２のピンは、絶縁インターフェース回路３０８の作動電圧に等しい最大電圧（例えば、＋／−６００Ｖ超）に定格され得る。このデバイスは、トランシーバインターフェース３０２と論理インターフェース３０４との間にこのような高電圧が存在しても許容し、さらには動作することさえできる。
【００２７】
図４は、本主題の技術の１つ以上の実施態様による選択可能な終端回路を有する絶縁型トランシーバアーキテクチャ４００の一例の概略図を図示する。しかしながら、示された構成要素のすべてが使用されるわけではなく、１つ以上の実施形態は図に描かれていない追加の構成要素を含んでもよい。本明細書に記載の特許請求の範囲から逸脱することなく、構成要素の配置および種類を変更することができる。追加の構成要素、異なる構成要素、またはより少ない構成要素を提供することができる。
【００２８】
全コモンモード範囲にわたる選択可能な終端を図３の絶縁型アーキテクチャに追加することができる。例えば、図４は、バスラインにするために使用される能動終端スイッチ（例えば４０２）を用いて拡張された図３に示されるアーキテクチャを描写する。このことは、コモンモード電圧範囲全体にわたって、設定どおりに終端がオンまたはオフのままになるように指定されている標準トランシーバ部品では困難であった。これを行うために使用されるアーキテクチャは複雑かつ大きくなる可能性があり、通常は高電圧チャージポンプおよび高電圧（および非常に抵抗が大きく高価な）ＦＥＴスイッチを伴う。本主題の技術のアーキテクチャでは、スイッチは、コモンモードバス電圧と共に移動する絶縁型グランド（例えば、３１２）に対してオンまたはオフに留まるだけでよいため、低電圧かつ単純にすることができる。
【００２９】
図５Ａは、本主題の技術の１つ以上の実施形態による、絶縁型トランシーバアーキテクチャのための送信機アーキテクチャ５００の一例の概略図を図示する。図５Ｂは、本主題の技術の１つ以上の実施形態による、絶縁型トランシーバアーキテクチャ５５０の受信機アーキテクチャの一例の概略図を図示する。しかしながら、描かれた構成要素のすべてが使用されるわけではなく、１つ以上の実施形態は図に示されていない追加の構成要素を含んでもよい。本明細書に記載の特許請求の範囲の精神または範囲から逸脱することなく、構成要素の配置および種類を変更することができる。追加の構成要素、異なる構成要素、またはより少ない構成要素を提供することができる。
【００３０】
図５Ａおよび図５Ｂは、ドライバおよび受信機のアーキテクチャが、図２Ａ〜図２Ｃに示されるものと比較して単純化され得ることを示す。図５Ａは、低電圧設計を使用し、非常に単純にすることができる送信機アーキテクチャ５００を描写する。例えば、ドライバは標準的なＣＭＯＳプロセスにおいて低電圧デバイスを使用することができる。図５Ｂは、入力抵抗分割器（例えば２２２、２２４）を排除することができ、または分割器比を大幅に低減することができる受信機アーキテクチャ５５０を描写する。例えば、受信機は入力で抵抗分割器を排除することができ、より高い信号対雑音比およびより速い性能を提供する。いくつかの態様では、ＥＳＤセルは、それらの局所的なグランドに対して大きな電圧に耐える必要がないので、低電圧である。
【００３１】
前述の説明は、当業者が本明細書に記載の様々な態様を実施できるようにするために提供されている。これらの態様に対する様々な修正は当業者には容易に明らかとなり、ここに定義された一般的な原理は他の態様に適用されてもよい。したがって、特許請求の範囲は、本明細書に示された態様に限定されることを意図するものではなく、言語の特許請求の範囲と一致する全範囲を認められるべきであり、単数形の要素への言及は、特に明記しない限り「唯一の」を意味するのではなく、むしろ「１つ以上の」を意味する。特に明記しない限り、用語「いくつか」は１つ以上を指す。男性語の代名詞（例えば、彼の）は、女性語および中性語（例えば、彼女およびその）を含み、逆もまた同様である。見出しおよび小見出しがある場合、それは便宜上のためにのみ使用されており、本主題の開示を限定するものではない。
【００３２】
「に構成された」、「に動作可能」、および「にプログラムされた」という述語の単語は、対象の特定の有形または無形の修正を意味するのではなく、むしろ交換可能に使用されることを意図している。例えば、動作または構成要素を監視および制御するように構成されたプロセッサはまた、動作を監視および制御するようにプログラムされているプロセッサ、または動作を監視および制御するように動作可能であるプロセッサを意味し得る。同様に、コードを実行するように構成されたプロセッサは、コードを実行するようにプログラムされた、またはコードを実行するように動作可能なプロセッサとして解釈することができる。
【００３３】
「態様」のような語句は、そのような態様が本主題の技術に不可欠であること、またはそのような態様が本主題の技術のすべての構成に適用されることを意味しない。一態様に関する開示は、すべての構成、または１つ以上の構成に適用することができる。一態様などの語句は、１つ以上の態様を指すことがあり、逆もまた同様である。「構成」などの語句は、そのような構成が本主題の技術に不可欠であること、またはそのような構成が本主題の技術のすべての構成に適用されることを意味するものではない。構成に関する開示は、すべての構成、または１つ以上の構成に適用され得る。構成などの語句は、１つ以上の構成を指すことがあり、逆もまた同様である。
【００３４】
「例」という用語は、本明細書では「例または実例として機能を果たすこと」を意味するために使用される。「例」として本明細書に記載されたいかなる態様または設計も、他の態様または設計よりも好ましいまたは有利であると必ずしも解釈されるべきではない。
【００３５】
当業者に知られているかまたは後で知られるようになる、本開示を通して記載されている様々な態様の要素に対するすべての構造的および機能的等価物は、参照により本明細書に明確に組み込まれ、特許請求の範囲に包有されるものとする。さらに、本明細書に開示されたものは、そのような開示が特許請求の範囲に明示的に記載されているかどうかにかかわらず、公衆に捧げることを意図していない。請求項の要素はどれも、要素が「のための手段」という語句を使用して明示的に記載されていない限り、もしくは方法の請求項の場合、要素が「のためのステップ」という語句を使用して記載されない限り、米国特許法１１２条第６段落の規定の下、解釈されるべきでない。さらに、「含む（ｉｎｃｌｕｄｅ）」、「有する（ｈａｖｅ）」などの用語が明細書または特許請求の範囲で使用される限りにおいて、そのような用語は、特許請求の範囲において遷移性の語として用いられる場合に解釈されるように、「含む（ｃｏｍｐｒｉｓｅ）」という用語と同様の方法で包括的であることが意図される。
【図１】
2019135830.tif 000003
【図２Ａ】
2019135830.tif 000004
【図２Ｂ】
2019135830.tif 000005
【図２Ｃ】
2019135830.tif 000006
【図３】
2019135830.tif 000007
【図４】
2019135830.tif 000008
【図５Ａ】
2019135830.tif 000009
【図５Ｂ】
2019135830.tif 000010
【外国語明細書】
2019135830000001.pdf